(57)【要約】  電子機器(１)が、本体筐体(２)と、本体筐体(２)の前面(２ｂ)に取り付けられる意匠パネル(３)と、意匠パネル(３)に固定された端部(４ｃ)から片持ち梁状に端部(４ｂ)が延びて構成され、端部(４ｂ)に設けられた操作部(４ａ)が意匠パネル(３)の開口部(３ａ)から外部に露出している釦(４)と、操作部(４ａ)の周囲に設けられて、操作部(４ａ)の押圧により端部(４ｂ)が傾斜する方向の端部が開放された排出溝部(４ｄ)と、本体筐体(２)の前面(２ｂ)における排出溝部(４ｄ)の開放された端部側に設けられて、本体筐体(２)の外部に繋がる排出溝部(２ｃ)とを備える。
2016079871.tif 000002
【特許請求の範囲】
【請求項１】
本体筐体と、  前記本体筐体の一面に取り付けられるパネル部材と、  前記パネル部材に固定された一端から片持ち梁状に他端が延びて構成され、当該他端に設けられた操作部が前記パネル部材の開口部から外部に露出している釦部材と、  前記操作部の周囲に設けられて当該操作部の押圧により前記他端が傾斜する方向の端部が開放された第１の凹溝部と、  前記本体筐体の一面における前記第１の凹溝部の開放された端部側に設けられて、前記本体筐体の外部に繋がる第２の凹溝部とを備える電子機器。
【請求項２】
前記釦部材は、前記操作部が押圧されてスイッチを操作する前の状態で、前記スイッチからの反力により前記パネル部材の開口部の周囲に圧接されていることを特徴とする請求項１記載の電子機器。
【請求項３】
前記操作部が鉛直方向に押圧される縦置き状態で配置されることを特徴とする請求項１記載の電子機器。
【発明の詳細な説明】
【技術分野】
【０００１】  この発明は、釦周りから内部に侵入した液体を外部に排出する構造を有した電子機器に関する。
【背景技術】
【０００２】  電子機器のハードウェア釦では、電子機器の外部に露出した操作部の押圧に応じて内部のスイッチが押される。なお、操作部の押圧でスイッチを的確に押すため、釦とスイッチは、なるべく近い位置に配置される。このため、釦周りから内部に侵入した水分は、釦とこれを実装する基板に到達しやすい。基板が被水すると、基板の電気系統がショートする可能性がある。【０００３】  これに対して、例えば、特許文献１には、内部に侵入した液体を外部に排出する構造を有したスイッチ装置が開示されている。この装置では、操作部であるノブにフランジ部と立壁部とからなる受部を設け、筐体側に外部に開口した排出路を設けている。  フランジ部は、ノブの押圧方向と直交する方向に延びる平面を有しており、立壁部は、このフランジ部の周壁をなす。  また、フランジ部には、水の排出箇所に向けて延長された受水路およびその先に開口部が形成されている。この開口部の下方位置に上記排出路が設けられる。ノブ周りから内部に侵入した水分は、受部で受け止められてから受水路を流れ、受水路の開口部から排出路へ下って外部に排出される。【０００４】  なお、特許文献１に記載のスイッチ装置は、ノブの押圧操作によりノブが直動してその先端部がスイッチを押す、いわゆる直動タイプの釦である。  また、特許文献１に記載のスイッチ装置は、排出方向に傾けて配置されることを前提としている。すなわち、スイッチ装置を傾けて配置することにより、受水路および排出路が排出方向に傾いており、受部で受け止められた水分が排出方向に流れやすくなっている。
【先行技術文献】
【特許文献】
【０００５】
【特許文献１】特開２０１０−１９２２４３号公報
【発明の概要】
【発明が解決しようとする課題】
【０００６】  一方、電子機器の釦には、一端が固定され、この一端から他端が片持ち梁状に延びて、上記他端に設けた操作部の押圧で当該他端が傾斜してスイッチを押す、いわゆる片持ち梁タイプの釦がある。  このような片持ち梁タイプの釦では、特許文献１に記載された排出構造を適用しても、内部に侵入した水分を適切に排出することができない。  例えば、片持ち梁タイプの釦に特許文献１の受部を設けても、操作部が押圧される度に他端が傾斜して受部で受け止められた水分が傾斜方向に流れてしまう。これにより、受部からこぼれた水分でスイッチまたはこれを実装する基板が被水する可能性がある。【０００７】  また、特許文献１に記載されるスイッチ装置では、ノブが鉛直方向に押圧される状態で配置されると、フランジ部の平面が水平な状態となるため、水分が受部に残りやすい。  受部は基板の上方に位置するので、振動などが加わって残った水分が受部からこぼれた場合、基板側に飛散する可能性が高い。【０００８】  なお、特許文献１には、フランジ部の平面が水平な状態でスイッチ装置を車両用計器に配置する場合、受水路および排出路の少なくとも一方を、外部に向けて傾斜させることが記載されている。しかしながら、受水路および排出路を傾斜させても、フランジ部の平面が水平のままでは、この部分に水分が残る可能性がある。また、スイッチ装置の配置態様によってスイッチ装置の構造自体を変更することは実用性に欠ける。【０００９】  この発明は、上記のような課題を解決するもので、片持ち梁タイプの釦において釦周りから内部に侵入した液体を外部に適切に排出することができる電子機器を得ることを目的とする。
【課題を解決するための手段】
【００１０】  この発明に係る電子機器は、本体筐体と、本体筐体の一面に取り付けられるパネル部材と、パネル部材に固定された一端から片持ち梁状に他端が延びて構成され、当該他端に設けられた操作部がパネル部材の開口部から外部に露出している釦部材と、操作部の周囲に設けられて当該操作部の押圧により他端が傾斜する方向の端部が開放された第１の凹溝部と、本体筐体の一面における第１の凹溝部の開放された端部側に設けられて、本体筐体の外部に繋がる第２の凹溝部とを備える。
【発明の効果】
【００１１】  この発明によれば、片持ち梁タイプの釦の動作に合わせて液体を排出するよう構成したので、釦周りから内部に侵入した液体を外部に適切に排出することができるという効果がある。
【図面の簡単な説明】
【００１２】
【図１】この発明の実施の形態１に係る電子機器を示す図であり、図１（ａ）は、電子機器の正面側の斜視図、図１（ｂ）は、電子機器の上面図である。
【図２】実施の形態１における釦の斜視図である。
【図３】実施の形態１に係る電子機器における意匠パネルの裏面側を示す図であり、図３（ａ）は、意匠パネルの裏面に釦を取り付けた状態、図３（ｂ）は、図３（ａ）の釦の裏側にさらに基板を取り付けた状態を示している。
【図４】実施の形態１に係る電子機器の本体筐体を示す斜視図である。
【図５】実施の形態１に係る電子機器の排出構造を示す図である。
【図６】実施の形態１に係る電子機器の排出構造を、図５のＢ−Ｂ線で切った断面矢示図であり、図６（ａ）は釦の押圧前の状態、図６（ｂ）は釦の押圧後の状態を示している。
【発明を実施するための形態】
【００１３】  以下、この発明をより詳細に説明するため、この発明を実施するための形態について、添付の図面に従って説明する。実施の形態１．  図１は、この発明の実施の形態１に係る電子機器１を示す図であり、図１（ａ）は電子機器１の正面側の斜視図、図１（ｂ）は電子機器１の正面図である。  電子機器１は、この発明に係る電子機器を、車載用のメディアプレイヤーとして具体化したもので、釦４周りから内部に侵入した水分を外部に排出する排出構造を有している。  電子機器１が被水する要因としては、例えば、飲料水をこぼす、電子機器１上に濡れた物を置くことなどが考えられる。本発明では、様々な液体が電子機器１の内部に侵入しても適切に外部へ排出することができる。
【００１４】  電子機器１は、図１（ａ）に示すように、本体筐体２および意匠パネル３を備えて構成され、意匠パネル３には釦４が設けられる。  本体筐体２は、板金などで形成された箱状の筐体であり、外部に露出した排出口２ａが形成されている。意匠パネル３は、本体筐体２の前面に取り付けるパネル部材である。  また、意匠パネル３には開口部３ａが形成されており、釦４の操作部４ａは、図１（ｂ）に示すように開口部３ａから外部に露出している。  なお、電子機器１は、操作部４ａが鉛直方向に押圧される縦置き状態で配置される。
【００１５】  図２は、実施の形態１における釦４の斜視図である。釦４は、図２に示すように片持ち梁タイプの釦部材であり、意匠パネル３に固定される端部４ｃ−１と、この端部４ｃ−１から梁部４ｃ−２を介して延びた自由端の端部４ｂから構成される。  端部４ｂには、表面側に操作部４ａおよびその周囲に排出溝部４ｄが形成され、裏面側には、スイッチを押す押圧部が形成される。また、端部４ｃ−１は、穴部４ｅ−１，４ｅ−２を介して意匠パネル３に固定される。なお、穴部４ｆは、図３を用いて後述する基板を支持するボス部を通す穴である。
【００１６】  排出溝部４ｄは、本発明における第１の凹溝部を具体化したものであり、図２のように操作部４ａの押圧により端部４ｂが傾斜する方向の端部が開放されている。  操作部４ａの周りから内部に侵入した水分は、この排出溝部４ｄで受け止められてから端部４ｂの傾斜方向に流れて開放端から排出される。なお、釦４から排出された水分は、図４を用いて後述する第２の凹溝部で受け止められ、この凹溝部に繋がる排出口２ａから外部に排出される。
【００１７】  図３は実施の形態１に係る電子機器１における意匠パネル３の裏面側を示す図である。図３（ａ）は意匠パネル３の裏面に釦４を取り付けた状態、図３（ｂ）は図３（ａ）の釦４の裏側にさらに基板５を取り付けた状態を示している。図３（ａ）に示すように、釦４は、意匠パネル３の裏面側から組み付けられる。意匠パネル３の裏面側に形成されたボス部３ｄ−１，３ｄ−２を、釦４の穴部４ｅ−１，４ｅ−２に通した状態で熱溶着することにより、釦４の端部４ｃ−１が意匠パネル３に固定される。
【００１８】  基板５は、釦４により押圧されるスイッチを実装する基板である。意匠パネル３の裏面には、雌ねじ穴を有するボス部３ｂ−１，３ｂ−２および位置決め用のボス部３ｃ−１，３ｃ−２が形成されている。釦４を意匠パネル３の裏面に組み付けると、釦４の穴部４ｆからボス部３ｂ−１，３ｃ−１が露出した状態となる。基板５には、各ボス部に対応する位置に穴部が形成されており、図３（ｂ）に示すように、ねじ６によって意匠パネル３の裏面に締結される。
【００１９】  図４は、実施の形態１に係る電子機器１の本体筐体２を示す斜視図である。  意匠パネル３は、本体筐体２の前面２ｂに取り付けられる。前面２ｂには、図４に示すように前面２ｂの幅方向に沿って排出溝部２ｃが形成されている。この排出溝部２ｃは、排出口２ａに繋がっており、本発明における第２の凹溝部に相当する。  排出口２ａは、図１（ａ）で示したように、前面２ｂに意匠パネル３を取り付けた状態で外部に露出しており、排出溝部２ｃで受け止められた水分は、この排出口２ａから外部に排出される。
【００２０】  また、図５は、実施の形態１に係る電子機器１の排出構造を示す図であり、図１（ａ）に示した電子機器１から意匠パネル３の記載を除いたものである。なお、実際には、Ａ部分における釦４の端部は、意匠パネル３の裏面側に固定されている。  図６は、実施の形態１に係る電子機器１の排出構造を図５のＢ−Ｂ線で切った断面矢示図であり、図６（ａ）は釦４の押圧前の状態、図６（ｂ）は釦４の押圧後の状態を示している。なお、図６（ａ）では、意匠パネル３および開口部３ａを破線で記載している。
【００２１】  排出溝部２ｃは、図５に示すように、本体筐体２の前面２ｂにおける、排出溝部４ｄの開放された端部側に形成される。これにより排出溝部４ｄの開放端から流れ出た水分は、排出溝部２ｃへ流れ、最終的に排出口２ａから外部へ排出される。  また、端部４ｂの裏面部は、スイッチ７を押す押圧部として機能する。  すなわち、図６（ｂ）に示すように、操作部４ａの押圧でにより端部４ｃ−１を支点として梁部４ｃ−２とともに端部４ｂが傾斜し、このとき端部４ｂの裏面部がスイッチ７を押すことでスイッチ７がオンオフ操作される。  なお、スイッチ７を押し込み過ぎないようにするため、釦４には、端部４ｂから基板５の側に延びたストッパ４ｇが形成されている。操作部４ａを深く押し込んでも、ストッパ４ｇが基板５に当接して必要以上の押し込みが規制される。
【００２２】  なお、釦４の操作部４ａに触れただけでスイッチ７が動作する、あるいは操作部４ａを押し込んでもスイッチ７が動作しないのでは不便であり、釦４の操作感度は適切に調整する必要がある。このため、スイッチ７のような押しスイッチには、その押し込み量が段階的に設定されているものが多い。例えば、初期押し込み量で押してもスイッチは動作しないが、この状態からさらに押すと動作する。すなわち、初期押し込み量の範囲内でスイッチを予め押しておけば、釦の操作感度を調節することができる。
【００２３】  本発明では、このようなスイッチの特性を利用した被水対策も行っている。  例えば、図６（ａ）に示すように、釦４は、操作部４ａが押圧される前の状態で、スイッチ７の初期押し込み量分だけ押した状態で配置される。この状態では、釦４の端部４ｂは、スイッチ７からの反力Ｃを受けており、この反力Ｃに基づく付勢力Ｄで意匠パネル３の開口部３ａの周囲に圧接している。  従って、操作部４ａが押圧される前の状態では、圧接部分で外部から密封されるので、意匠パネル３が被水しても水分は内部に侵入しない。
【００２４】  また、電子機器１は、操作部４ａが鉛直方向Ｅに押圧される縦置き状態で配置される。  この配置では、本体筐体２の前面２ｂ、意匠パネル３のパネル面、およびこのパネル面に平行に取り付けられる釦４の端部４ｂがそれぞれ水平な状態であり、操作部４ａが押圧されると、釦４の端部４ｂは鉛直方向Ｅに傾斜する。  意匠パネル３が被水した状態で操作部４ａが押圧されると、釦４の端部４ｂが傾斜して開口部３ａから離れて隙間ができ、この隙間から水分が内部に侵入する。  排出溝部４ｄは端部４ｂの傾斜方向の端部が開放されているので、内部に侵入した水分は、直ちに経路Ｆを経由して排出溝部２ｃへ流れる。  なお、排出溝部２ｃは、図６（ｂ）に示すように、基板５よりも鉛直方向に低い位置にあり、排出溝部４ｄよりも凹溝の幅が広くかつ深く構成されているので、水分が基板５に飛散することはない。排出溝部２ｃに流れた水分は、排出口２ａから外部に排出される。
【００２５】  また電子機器１が縦置き状態であるので、排出溝部２ｃには、排出溝部４ｄとの高さ分の位置エネルギーで水分が流れ込む。このとき、排出口２ａへ向かう水の流れが作られるので、水分は排出溝部２ｃに残りにくい。  なお、排出溝部２ｃに水分が残ったとしても、基板５が上方に位置し、かつ高さ方向にギャップがあるので、振動が加わっても基板５に飛散する可能性は非常に低い。
【００２６】  以上のように、この実施の形態１によれば、電子機器１が、本体筐体２と、本体筐体２の前面２ｂに取り付けられる意匠パネル３と、意匠パネル３に固定された端部４ｃ−１から片持ち梁状に端部４ｂが延びて構成され、端部４ｂに設けられた操作部４ａが意匠パネル３の開口部３ａから外部に露出している釦４と、操作部４ａの周囲に設けられて、操作部４ａの押圧により端部４ｂが傾斜する方向の端部が開放された排出溝部４ｄと、本体筐体２の前面２ｂにおける排出溝部４ｄの開放された端部側に設けられて、本体筐体２の外部に繋がる排出溝部２ｃとを備える。  釦４の周り、すなわち操作部４ａと開口部３ａとの隙間から水分が内部に侵入しても、操作部４ａの押圧で釦４の端部４ｂは傾斜しているので、排出溝部４ｄで水分が傾斜方向に流れ、その開放端から排出溝部２ｃへ流れる。排出溝部２ｃには排出口２ａが繋がっているので、水分は、排出口２ａから外部に排出される。  このように釦４の周りから侵入した水などの液体を電子機器１の外部に適切に排出することができる。
【００２７】  また、この実施の形態１によれば、釦４は、操作部４ａが押圧されてスイッチ７を操作する前の状態で、スイッチ７からの反力により意匠パネル３の開口部３ａの周囲に圧接されている。これにより、操作部４ａが押圧される前では圧接部分で外部から密封することができるので、意匠パネル３が被水しても水分の侵入を防止できる。
【００２８】  さらに、この実施の形態１によれば、電子機器１は、操作部４ａが鉛直方向に押圧される縦置き状態で配置される。このように配置することで、操作部４ａの押圧により釦４の端部４ｂが傾斜する方向に水分を流して排出口２ａへ導くことができる。
【００２９】  なお、本発明はその発明の範囲内において、実施の形態の任意の構成要素の変形、もしくは実施の形態の任意の構成要素の省略が可能である。
【産業上の利用可能性】
【００３０】  この発明に係る電子機器は、釦周りから侵入した水などの液体を電子機器の外部に適切に排出することができるので、例えば釦を有したパネル面が乗員の飲食で被水する可能性がある車両用の電子機器に好適である。
【符号の説明】
【００３１】  １  電子機器、２  本体筐体、２ａ  排出口、２ｂ  前面、２ｃ，４ｄ  排出溝部、３  意匠パネル、３ａ  開口部、３ｂ−１，３ｂ−２，３ｃ−１，３ｃ−２，３ｄ−１，３ｄ−２  ボス部、４  釦、４ａ  操作部、４ｂ，４ｃ−１  端部、４ｃ−２  梁部、４ｅ−１，４ｅ−２，４ｆ  穴部、４ｇ  ストッパ、５  基板、６  ねじ、７  スイッチ。
【図１】
2016079871.tif 000003
【図２】
2016079871.tif 000004
【図３】
2016079871.tif 000005
【図４】
2016079871.tif 000006
【図５】
2016079871.tif 000007
【図６】
2016079871.tif 000008
【国際調査報告】
2016079871.tif 000009
2016079871.tif 000010